(57)【要約】【課題】記録媒体の送り抵抗を軽減することができると共に、記録媒体の斜行を防止することができる記録装置を提供すること。【解決手段】可動案内部２２は、供給口の後壁部５３ａに沿って記録媒体の幅方向に摺動自在な摺動部２２２及び摺動位置決めの固定・解除を操作する操作部２２３を有する本体部２２０と、記録媒体の他側端に接して記録媒体の幅方向を位置決めした後、幅方向外側に向かって付勢されることにより所要量だけ移動する案内部２２１とを備える。これにより、可動案内部で記録媒体に側圧を掛けても、その直後に可動案内部は記録媒体の幅方向の他側端から所要量だけ離れるので上記側圧は解放され、記録媒体の送り抵抗を小さくして記録精度を向上させることができる。【選択図】図７
2006327826.tif 000002
【特許請求の範囲】
【請求項１】
供給口から供給される記録媒体の幅方向の一側端を固定案内部で案内すると共に他側端を可動案内部で案内しつつ送って記録する記録装置において、
前記可動案内部は、
前記供給口の後壁部に沿って前記記録媒体の幅方向に摺動自在な摺動部及び摺動位置決めの固定・解除を操作する操作部を有する本体部と、
前記記録媒体の他側端に接して前記記録媒体の幅方向を位置決めした後、幅方向外側に向かって付勢されることにより所要量だけ移動する案内部とを備えたことを特徴とする記録装置。
【請求項２】
前記摺動部は、前記後壁部を挟み込んで係止する係止部を有することを特徴とする請求項１に記載の記録装置。
【請求項３】
前記操作部は、前記後壁部の面に当接・離間可能な当接部と、前記当接部を付勢して前記後壁部の面に当接させる付勢部とを有することを特徴とする請求項１または２に記載の記録装置。
【請求項４】
前記当接部は、摩擦材が前記後壁部の面に対して当接・離間する面に貼付されていることを特徴とする請求項３に記載の記録装置。
【請求項５】
前記案内部は、外力により前記当接部を押圧して前記後壁部の面から離間させる押圧部を有することを特徴とする請求項３または４に記載の記録装置。
【請求項６】
供給口から供給される記録媒体の幅方向の一側端を固定案内部で案内すると共に他側端を可動案内部で案内しつつ送って記録する記録装置において、
前記固定案内部は、
前記供給口の側壁部に形成された抜きテーパを有する壁面と、
この壁面上の一部に形成された抜きテーパの無い突条部と、
前記壁面上における前記供給口の後壁部側に形成された抜きテーパの無い突起部とを備えたことを特徴とする記録装置。
【請求項７】
少なくとも前記突条部の頂部あるいは前記突起部の頂部が、前記記録媒体の幅方向の一側端と接触して案内することを特徴とする請求項６に記載の記録装置。
【請求項８】
請求項１〜５の何れか一項に記載の可動案内部と、請求項６または７に記載の固定案内部とを備えたことを特徴とする記録装置。
【発明の詳細な説明】
【技術分野】
【０００１】
本発明は、供給口から供給される記録媒体の幅方向の一側端を固定案内部で案内すると共に他側端を可動案内部で案内しつつ送って記録する記録装置に関する。
【背景技術】
【０００２】
記録装置では、記録する用紙としていわゆるカット紙とロール紙が主に用いられている。例えばカット紙に印刷させる場合は、積層したカット紙をホッパーに一旦保持させた後、最上層のカット紙から順に給紙部により搬送部へ給紙させ、搬送部により記録部へ搬送させている。また、ロール紙に印刷させる場合は、ロール紙ホルダから引き出したロール紙を給紙部を通過させて搬送部へ到達させた後、搬送部により記録部へ搬送させている。
【０００３】
そして、この用紙搬送時は用紙が斜行し易いので、例えば用紙の幅方向の一側端は、装置本体に設けられている給紙口の一側壁に接触させて案内すると共に、用紙の幅方向の他側端は、給紙口の後壁に取り付けられているエッジガイドに接触させて案内するようになっている。
【０００４】
【特許文献１】特開平０７−７６５９４号公報
【発明の開示】
【発明が解決しようとする課題】
【０００５】
従来の記録装置に用紙をセットする際は、用紙の幅方向の一側端を給紙口の一側壁に接触させた後、エッジガイドを給紙口の後壁に沿ってスライドさせてエッジガイドを用紙の幅方向の他側端に接触させている。このとき、エッジガイド及び給紙口の一側壁と用紙の幅方向の各側端との間に隙間があると用紙が斜行するので、ユーザはエッジガイドで用紙に側圧を掛けて上記隙間を無くそうとするが、このために用紙の送り抵抗、すなわち用紙のバックテンションが大きくなる。
【０００６】
また、給紙口の一側壁は一般にプラスチックの射出成形によりハウジングに一体成形されるため、給紙口の一側壁の面には抜きテーパが必要となる。このため、用紙の幅方向の一側端を給紙口の一側壁に接触させたとき、楔状の隙間が生じて用紙が斜行するおそれがある。この用紙の斜行を防止するには、抜きテーパを可能な限り小さくすればよいが、この対策を施すと上述したように用紙のバックテンションが大きくなる。
【０００７】
本発明は、上記のような課題に鑑みなされたものであり、その目的は、記録媒体の送り抵抗を軽減することができると共に、記録媒体の斜行を防止することができる記録装置を提供することにある。
【課題を解決するための手段】
【０００８】
上記目的達成のため、本発明の請求項に係る記録装置では、供給口から供給される記録媒体の幅方向の一側端を固定案内部で案内すると共に他側端を可動案内部で案内しつつ送って記録する記録装置において、前記可動案内部は、前記供給口の後壁部に沿って前記記録媒体の幅方向に摺動自在な摺動部及び摺動位置決めの固定・解除を操作する操作部を有する本体部と、前記記録媒体の他側端に接して前記記録媒体の幅方向を位置決めした後、幅方向外側に向かって付勢されることにより所要量だけ移動する案内部とを備えたことを特徴としている。これにより、可動案内部で記録媒体に側圧を掛けても、その直後に可動案内部は記録媒体の幅方向の他側端から所要量だけ離れるので上記側圧は解放され、記録媒体の送り抵抗を小さくして記録精度を向上させることができる。
【０００９】
また、本発明の請求項に係る記録装置では、前記摺動部は、前記後壁部を挟み込んで係止する係止部を有することを特徴としている。これにより、可動案内部を後壁部に沿ってスムーズに摺動させることができる。
【００１０】
また、本発明の請求項に係る記録装置では、前記操作部は、前記後壁部の面に当接・離間可能な当接部と、前記当接部を付勢して前記後壁部の面に当接させる付勢部とを有することを特徴としている。これにより、可動案内部を任意の位置に容易に固定・解除することができる。
【００１１】
また、本発明の請求項に係る記録装置では、前記当接部は、摩擦材が前記後壁部の面に対して当接・離間する面に貼付されていることを特徴としている。これにより、可動案内部をしっかりと固定することができる。
【００１２】
また、本発明の請求項に係る記録装置では、前記案内部は、外力により前記当接部を押圧して前記後壁部の面から離間させる押圧部を有することを特徴としている。これにより、ユーザは可動案内部を容易に摺動させて任意の位置に固定・解除することができる。
【００１３】
上記目的達成のため、本発明の請求項に係る記録装置では、供給口から供給される記録媒体の幅方向の一側端を固定案内部で案内すると共に他側端を可動案内部で案内しつつ送って記録する記録装置において、前記固定案内部は、前記供給口の側壁部に形成された抜きテーパを有する壁面と、この壁面上の一部に形成された抜きテーパの無い突条部と、前記壁面上における前記供給口の後壁部側に形成された抜きテーパの無い突起部とを備えたことを特徴としている。これにより、記録媒体の幅方向の一側端は固定案内部の抜きテーパを有する壁面と接触しなくなるので、楔状の隙間を無くして記録媒体の斜行を防止することができる。
【００１４】
また、本発明の請求項に係る記録装置では、少なくとも前記突条部の頂部あるいは前記突起部の頂部が、前記記録媒体の幅方向の一側端と接触して案内することを特徴としている。これにより、記録媒体の幅方向の一側端と固定案内部との接触面積は小さくなるので、記録媒体の送り抵抗を軽減して記録精度を向上させることができる。
【００１５】
また、本発明の請求項に係る記録装置では、上記各可動案内部と、上記各固定案内部とを備えたことを特徴としている。これにより、上記各作用効果を奏する記録装置を提供することができる。
【発明を実施するための最良の形態】
【００１６】
以下、図面に基づいて本発明の実施の形態について詳細に説明する。
【００１７】
図１及び図２は、本発明の一実施の形態に係る記録装置の外装構成の全体を斜め前方から見た斜視図である。この記録装置１は、図１及び図２に示すように、全体が幅方向に長く延びる略直方体状のハウジング１０を備えている。そして、このハウジング１０の前方側には、排紙スタッカ５１やスイッチ部５２等が配設され、ハウジング１０の後方側には、給紙口５３等が配設されている。また、ハウジング１０の上部から前面にかけては、透明もしくは半透明な湾曲したプラスチックカバー５４によって覆われた窓部５５が形成されている。
【００１８】
排紙スタッカ５１は、排出される用紙を蓄積する機能を有し、基端側の１段目のスタッカ部材５１ａ及びこの１段目のスタッカ部材５１ａに格納・引出自在に設けられた先端側の２段目のスタッカ部材５１ｂの２段で構成されている。この排紙スタッカ５１は、その下部の回動軸を中心にハウジング１０の前面に図１の矢印ａ方向に回動可能に取り付けられており、使用時は図１に示すように倒伏方向に回動されて排紙口５６を開放し、収納時は起立方向に回動されて排紙口５６を閉鎖するようになっている。
【００１９】
スイッチ部５２は、パワーをオン・オフするパワー系のスイッチ５２ａと、用紙の頭出し等を操作したり、インクのフラッシング等を操作する３つの操作系のスイッチ５２ｂを備えている。このスイッチ部５２は、ハウジング１０の前面の排紙スタッカ５１の右側に配列されている。
【００２０】
給紙口５３には、その後縁と両端縁を囲むようにガイド壁５３ａ、５３ｂ、５３ｃが形成されている。ガイド壁５３ａは、用紙の面をガイドし、ガイド壁５３ｃは、用紙の一方のサイドエッジをガイドする機能を有する。そして、用紙のサイズが異なっても確実に用紙をガイドすることができるように、用紙の他方のサイドエッジをガイドするエッジガイド２２が、給紙口５３の両端縁に形成されているガイド壁５３ｂ、５３ｃ間を、後縁に形成されているガイド壁５３ａに沿って移動可能なように装着されている。
【００２１】
プラスチックカバー５４は、その上部の回動軸を中心に図１の矢印ｂ方向に回動可能に取り付けられている。ユーザは、プラスチックカバー５４を持ち上げて窓部５５を開放することにより、窓部５５を通して後述するキャリッジ上に収納されるインクカートリッジの交換作業や内部機構のメンテナンス作業等を行うことができる。
【００２２】
さらに、この記録装置１は、不連続の用紙、すなわち図１に示すカット紙Ｐの印刷と、連続した用紙、すなわち図２に示すロール紙Ｒの印刷が可能であり、図１に示すように、カット紙Ｐを印刷する場合は給紙口５３の背部にカット紙Ｐを保持するペーパーサポート２１が取り付けられ、また、図２に示すように、ロール紙Ｒを印刷する場合は給紙口５３の背部にロール紙Ｒを保持したロール紙ホルダ６０が取り付けられる。なお、ペーパーサポート２１とロール紙ホルダ６０は、着脱可能に構成されており、何れか一方が取り付けられるようになっている。
【００２３】
ペーパーサポート２１は、図１に示すように、カット紙Ｐの面を保持する機能を有し、給紙口５３の後縁に近接して斜め後方に突き出るように配設されている。ロール紙ホルダ６０は、図２に示すように、ロール紙Ｒの中心軸穴に貫入される軸芯６１及びこの軸芯６１の両端を回転自在に支持してロール紙Ｒの両端部をそれぞれ覆う一対のカバー６２を備えている。カバー６２は、給紙口５３の後方に着脱自在に取り付けられている。
【００２４】
図３及び図４は、上記記録装置１の内部構成例を示す断面側面図である。図３に示すように、記録装置１は、給紙口５３から差し込まれたカット紙Ｐを給紙装置２０により給紙する。給紙装置２０は、給紙ローラ２、総量規制部７０、アイドルローラ８０等をフレーム３１に組込んで一体化したユニット３０と、ホッパー３、分離パッド４等を有する紙戻し部材４２をフレーム４１に組込んで一体化したユニット４０とを備えている。ユニット３０はキャリッジを仕切るフレーム１３の背面に固定され、ユニット４０は断面山形のフレーム４１の裾部分が搬送ローラ６と排出ローラを結ぶ用紙搬送経路の略延長線上になるようメインフレーム１２に取り付けられている。
【００２５】
そして、ホッパー３に積載された複数枚のカット紙Ｐは、給紙ローラ２の回転に伴うホッパー３の上昇により、分離パッド４で給紙ローラ２に押付けられて最上位のカット紙Ｐから１枚づつ分離され、ぺーパーガイド４９に沿って搬送ローラ６に給送されるようになっている。
【００２６】
一方、図４に示すように、記録装置１は、ロール紙ホルダ６０から引き出され、給紙口５３からアイドルローラ８０を経由して搬送ローラ６に差し込まれたロール紙Ｒを搬送ローラ６とその従動ローラとで挟持する。ロール紙ホルダ６０から引き出されるロール紙Ｒは、供給口５３のガイド壁５３ａの上縁部で一旦屈曲してからガイド壁５３ａより下方に配設されたアイドルローラ８０を経由して搬送ローラ６に向かうが、ロール紙ホルダ６０はロール紙Ｒの引き出し方向が常に下方向となるように配設されている。
【００２７】
すなわち、ロール紙ホルダ６０は、ロール紙ホルダ６０から供給口５３のガイド壁５３ａの上縁部に掛け渡されるロール紙Ｒの面が、常に水平面もしくはガイド壁５３ａ側を下方とした傾斜面となるように配設されている。仮に、ロール紙ホルダ６０から供給口５３のガイド壁５３ａの上縁部に掛け渡されるロール紙Ｒの面がガイド壁５３ａ側を上方とした傾斜面となるようにロール紙ホルダ６０が配設されていた場合、ロール紙Ｒを供給口５３のガイド壁５３ａの上縁部で一旦上方に引き上げてから下方向に送る必要があり、このときのロール紙Ｒの送り抵抗、いわゆるバックテンションは大きくなる。しかし、本実施形態によればロール紙Ｒの引き出し方向は常に下方向となるので、このときのロール紙Ｒのバックテンションは上記バックテンションに比べて小さくなる。
【００２８】
記録装置１は、図３に示すカット紙Ｐあるいは図４に示すロール紙Ｒを搬送ローラ６により図示しないキャリッジに搭載された記録ヘッド側へ送り出して印刷する。このとき、記録装置１の制御部は、例えばイエロー、マゼンタ、シアン、ブラックの計４色のインクカートリッジから記録ヘッドへ各色インクを供給し、各色インクの吐出タイミング及びキャリッジや搬送ローラ６の駆動を制御して、高精度なインクドット制御、ハーフトーン処理等を実行する。最後に、記録装置１は、カット紙Ｐあるいはロール紙Ｒを図示しない排出ローラにより排紙口５６から排紙する。
【００２９】
図５は、上記記録装置１における上記エッジガイド２２の取付部付近を示す斜視図、図６は、図５においてエッジガイド２２の内部構成を示す斜視図、図７は、エッジガイド２２の一部を切り欠いた拡大斜視図、図８は、図７においてエッジガイド２２の内部構成を示す拡大斜視図、図９は、エッジガイド２２の側面図、図１０は、エッジガイド２２の内部構成の側面図である。
【００３０】
このエッジガイド２２は、上述したように給紙口５３の両端縁に形成されているガイド壁５３ｂ、５３ｃ間を、後縁に形成されているガイド壁５３ａに沿って移動可能な可動案内部として構成されている。このようなエッジガイド２２は、図６、図７、図８及び図１０に示すように、内側部品を構成する本体部２２０と、図５、図７及び図９に示すように、外側部品を構成する案内部２２１を備えている。
【００３１】
本体部２２０は、図６、図７、図８及び図１０に示すように、ガイド壁５３ａに取り付けられた摺動部２２２及びこの摺動部２２２に一体形成された操作部２２３を有する。摺動部２２２は、図８及び図１０に示すように、ガイド壁５３ａの上下端を挟み込んで係止する略Ｌ字状の２つの爪２２２ａ、２２２ｂを備えている。これにより、摺動部２２２は、ガイド壁５３ａに沿って用紙の幅方向に摺動可能なようになっている。
【００３２】
操作部２２３は、図８及び図１０に示すように、ガイド壁５３ａの面に当接・離間可能な当接部２２３ａと、この当接部２２３ａを付勢してガイド壁５３ａの面に当接させる例えば圧縮バネ等の付勢部２２３ｂと、当接部２２３ａをガイド壁５３ａの面から離間させるための外力を受ける突起部２２３ｃを備えている。
【００３３】
当接部２２３ａは、図１０に示すように、ガイド壁５３ａの面上で滑らないように例えばコルク材等の摩擦材２２３ｄが貼り付けられている。また、当接部２２３ａは、図１０に示すように、略中央両側から突き出る２本のアーム部２２３ｅが摺動部２２２に連接されており、このアーム部２２３ｅを捻り軸として回転可能に構成されている。突起部２２３ｃは、図８及び図１０に示すように、当接部２２３ａをガイド壁５３ａの面から確実に離間させるために、間隔をあけて平行に２つ形成されている。これにより、操作部２２３は、摺動位置決めの固定・解除を操作するようになっている。
【００３４】
案内部２２１は、図７及び図９に示すように、ガイド壁５３ａに取り付けられた摺動部２２４、この摺動部２２４に一体形成された摘み部２２５及び図７に示すように、この摘み部２２５の内面に一体形成された押圧部２２６を有する。摺動部２２４は、図７及び図９に示すように、ガイド壁５３ａの下端を係止する略Ｌ字状の爪２２４ａを備えている。摘み部２２５は、図７及び図９に示すように、本体部２２０を覆うように形成されており、更にその両側面にはユーザが指で摘み易くするために凹部２２５ａが形成されている。
【００３５】
押圧部２２６は、図７に示すように、２つの突起部２２３ｃ（図７では１つの突起部２２３ｃのみ表示）に接触するリブ状の突起として形成されている。これにより、案内部２２１は、用紙の他側端に接して用紙の幅方向を位置決めした後、幅方向外側に向かって付勢されることにより所要量だけ移動するようになっている。
【００３６】
このような構成において、エッジガイド２２の動作を図１１〜図１４を参照して説明する。図１１は、エッジガイド２２を用紙の他側端に接触させたときの断面側面図、図１２は、その断面上面図、図１３は、エッジガイド２２を用紙の他側端に接触させた後の断面側面図、図１４は、その断面上面図である。
【００３７】
図１１及び図１２に示すように、ユーザが摘み部２２５を強く摘むことにより、押圧部２２６は突起部２２３ｃを押圧する。すると、アーム部２２３ｅが捻れると共に付勢部２２３ｂが弾性変形するので、当接部２２３ａはアーム部２２３ｅを中心に回転し、摩擦材２２３ｄがガイド壁５３ａの面から離間する。これにより、摺動部２２２はガイド壁５３ａに沿って用紙の幅方向に摺動可能となるので、摘み部２２５を用紙の他側端に接触させて用紙の幅方向を位置決めする。このとき、当接部２２３ａと摘み部２２５とのクリアランスはｃ１となっており、摘み部２２５と用紙の他側端とのクリアランスは略０となっている。
【００３８】
そして、図１３及び図１４に示すように、ユーザが摘み部２２５から指を離すと、押圧部２２６は突起部２２３ｃから離間する。すると、アーム部２２３ｅの捻れが復元すると共に付勢部２２３ｂが弾性変形が復元するので、当接部２２３ａはアーム部２２３ｅを中心に先程とは逆に回転し、摩擦材２２３ｄがガイド壁５３ａの面に当接する。
【００３９】
これにより、摺動部２２２はガイド壁５３ａに固定されることになる。このとき、当接部２２３ａと摘み部２２５とのクリアランスはｃ２（＜ｃ１）となり、摘み部２２５と用紙の他側端とのクリアランスはｃ１−ｃ２となる。したがって、エッジガイド２２で用紙に側圧を掛けても、その直後にエッジガイド２２は用紙の幅方向の他側端から所要量だけ離れるので上記側圧は解放されることになり、用紙のバックテンションを小さくすることができる。
【００４０】
なお、図１５に示すように押圧部と突起部の機能を兼ねた押圧突起部２２７として構成しても同様の効果を奏する。そして、押圧部２２６と突起部２２３ｃの代わりに押圧突起部として構成してもよい。また、上述した実施形態では、押圧部２２６と突起部２２３ｃを装置前面から見て左側に配設した場合、及び押圧突起部２２７を装置前面から見て右側に配設した場合を説明したが、逆側に配設し、あるいは両側に配設してもよい。
【００４１】
図１６は、上記記録装置１における上記給紙口５３のガイド壁５３ｃの近傍を示す斜視図である。このガイド壁５３ｃは、抜きテーパを有する壁面５３１と、この壁面５３１上に所定の間隔でほぼ垂直方向に棒状に形成された抜きテーパの無い突条部５３２と、壁面５３１上における供給口５３のガイド壁５３ａ側に三角板状に形成された抜きテーパの無い突起部５３３とを備えている。これにより、用紙の幅方向の一側端は抜きテーパを有する壁面５３１と接触しなくなるので、従来技術で説明した楔状の隙間を無くして用紙の斜行を防止することができる。
【００４２】
また、図１７に示すように、用紙は幅方向の一側端が突条部５３２の頂部と突起部５３３の頂部と接触して案内されることになるので、用紙の幅方向の一側端とガイド壁５３ｃとの接触面積は小さくなり、用紙のバックテンションを軽減することができる。なお、図５〜図１７では、用紙としてロール紙Ｒを図示しているが、カット紙Ｐであっても同様に適用することができる。
【００４３】
以上説明したように、本発明によれば、可動案内部で記録媒体に側圧を掛けても、その直後に可動案内部は記録媒体の幅方向の他側端から所要量だけ離れるので上記側圧は解放され、記録媒体の送り抵抗を小さくして記録精度を向上させることができる。さらに、記録媒体の幅方向の一側端と固定案内部との接触面積は小さくなるので、記録媒体の送り抵抗を軽減して記録精度を向上させることができる。また、記録媒体の幅方向の一側端は固定案内部の抜きテーパを有する壁面と接触しなくなるので、楔状の隙間を無くして記録媒体の斜行を防止することができる。
【産業上の利用可能性】
【００４４】
本発明は、インクジェット式記録装置に限らず、記録装置であれば広く適用可能である。
【図面の簡単な説明】
【００４５】
【図１】本発明の一実施の形態に係る記録装置の外装構成の全体を斜め前方から見た第１の斜視図である。
【図２】本発明の一実施の形態に係る記録装置の外装構成の全体を斜め前方から見た第２の斜視図である。
【図３】図１の記録装置の内部構成例を示す断面側面図である。
【図４】図２の記録装置の内部構成例を示す断面側面図である。
【図５】図１の記録装置におけるエッジガイドの取付部付近を示す斜視図である。
【図６】図５においてエッジガイドの内部構成を示す斜視図である。
【図７】図５のエッジガイドの一部を切り欠いた拡大斜視図である。
【図８】図７においてエッジガイドの内部構成を示す拡大斜視図である。
【図９】図５のエッジガイドの側面図である。
【図１０】図５のエッジガイドの内部構成の側面図である。
【図１１】図５のエッジガイドを用紙の他側端に接触させたときの断面側面図である。
【図１２】図１１の断面上面図である。
【図１３】図５のエッジガイドを用紙の他側端に接触させた後の断面側面図である。
【図１４】図１３の断面上面図である。
【図１５】図５においてエッジガイドの別の内部構成を示す斜視図である。
【図１６】図１の記録装置における給紙口のガイド壁の近傍を示す斜視図である。
【図１７】図１６に用紙をセツトした状態を示す斜視図である。
【符号の説明】
【００４６】
１  記録装置、２  給紙ローラ、３  ホッパー、４  分離パッド、６  搬送ローラ、１０  ハウジング、１２  メインフレーム、２０  給紙装置、２１  ペーパーサポート、２２  エッジガイド、３０  ユニット、４０  ユニット、４１  フレーム、４２  紙戻し部材、５１  排紙スタッカ、５２  スイッチ部、５３  給紙口、５３ａ  ガイド壁、５３ｂ  ガイド壁、５３ｃ  ガイド壁、５４  プラスチックカバー、５５  窓部、５６  排紙口、６０  ロール紙ホルダ、７０  総量規制部、２２０  本体部、２２１  案内部、２２２  摺動部、２２２ａ、２２２ｂ  爪、２２３  操作部、２２３ａ  当接部、２２３ｂ  付勢部、２２３ｃ  突起部、２２３ｄ  摩擦材、２２３ｅ  アーム部、２２４  摺動部、２２４ａ  爪、２２５  摘み部、２２５ａ  凹部、２２６  押圧部、２２７  押圧突起部、５３１  壁面、５３２  突条部、５３３  突起部。
【図１】
2006327826.tif 000003
【図２】
2006327826.tif 000004
【図３】
2006327826.tif 000005
【図４】
2006327826.tif 000006
【図５】
2006327826.tif 000007
【図６】
2006327826.tif 000008
【図７】
2006327826.tif 000009
【図８】
2006327826.tif 000010
【図９】
2006327826.tif 000011
【図１０】
2006327826.tif 000012
【図１１】
2006327826.tif 000013
【図１２】
2006327826.tif 000014
【図１３】
2006327826.tif 000015
【図１４】
2006327826.tif 000016
【図１５】
2006327826.tif 000017
【図１６】
2006327826.tif 000018
【図１７】
2006327826.tif 000019